【事件の表示】
　平成１１年特許願第３３９３９０号「コンテンツ配布システムのデータ転送方法」拒絶査定不服審判事件〔平成１３年　６月　８日出願公開、特開２００１−１５５０６９〕について、次のとおり審決する。
【結　論】
　本件審判の請求は、成り立たない。
【理　由】
１．手続の経緯  
　本願は、平成１１年１１月３０日の出願であって、平成１６年１０月２７日付けの拒絶理由通知に対して同年１２月２８日付けで意見書の提出とともに手続補正がなされたが、平成１７年１月２７日付けで拒絶査定がなされ、これに対し同年３月３日付けで拒絶査定に対する審判請求がなされるとともに、同年４月４日付けで手続補正がなされ、平成２０年４月２３日付けで当審より審尋がなされ、これに対して同年６月２３日付けで回答がなされたものである。 
　 
２．平成１７年４月４日付けの手続補正について 
（１）補正の内容について
　平成１７年４月４日付けの手続補正（以下「本件補正」という。）により補正された特許請求の範囲は、次のとおりである。
　なお、アンダーラインは補正された部分を示すものとして当審で付したものである。
　　
「　　【請求項１】
　コンテンツデータを転送元端末（９）からネットワークを介して転送先端末（６ａ）に、又はこの転送先端末（６ａ）から別の転送端末（６ｂ）に転送して配布・流通するためのコンテンツ
の
方法
　
前記夫々の端末（９，６ａ，６ｂ）は、コンテンツデータ、地域コード及び転送履歴を記憶する記憶部（１３）とコンテンツデータを転送するためのデータ転送インターフェース（１９）と前記コンテンツデータの入手の許可，禁止及びこれら許可，禁止を示す地域コードの照合を行うための制御部（１２）とを有し、
　前記転送先端末（６ａ）の
前記記憶部の所定の領域
　前記転送元端末（９）において、前記コンテンツデータの配布・流通を許可又は禁止する地域を示す前記地域コードと前記転送先端末（６ａ）から転送された前記地域コードを照合することにより入手を許可する地域であると前記転送元端末（９）が判断した場合に、
前記転送先端末（６a）に
　前記コンテンツデータを転送する場合に、前記転送先端末（６ａ）に記録されている転送履歴データを前記転送元端末（９）に転送
する
　さらに、
前記転送先端末（６a）において、
転送端末
転送端末
から当該
当該転送先端末（６ａ）に記録されている
転送端末
と
前記別の転送端末（６ｂ）に
を
　有することを特徴とするコンテンツ
配布
のデータ転送方法
　　【請求項２】
　コンテンツデータを転送元端末（９）からネットワークを介して転送先端末（６ａ）
に、又はこの転送先端末（６ａ）から別の転送端末（６ｂ）
の
方法
　
前記夫々の端末（９，６ａ，６ｂ）は、コンテンツデータ、地域コード及び転送履歴を記憶する記憶部（１３）とコンテンツデータを転送するためのデータ転送インターフェース（１９）と前記コンテンツデータの入手の許可，禁止及びこれら許可，禁止を示す地域コードの照合を行うための制御部（１２）とを有し、
　前記転送先端末（６ａ）の
前記記憶部の所定の領域
　前記転送元端末（９）において前記入手希望コンテンツデータの配布・流通を許可又は禁止する地域を示す前記地域コードと前記転送先端末（６ａ）から転送された前記地域コードを照合することにより入手を許可する地域であると前記転送元端末（９）が判断した場合に、
前記転送先端末（６a）に
　前記コンテンツデータを転送する場合に、前記転送先端末（６ａ）に記録されている転送履歴データを前記転送元端末（９）に転送
する
　さらに、
前記転送先端末（６a）において、
転送端末
転送端末
から当該
当該転送先端末（６ａ）に記録されている
転送端末
を
　有することを特徴とするコンテンツ
配布
のデータ転送方法
　　【請求項３】
　コンテンツデータを転送元端末（９）からネットワークを介して転送先端末（６ａ）
に、又はこの転送先端末（６ａ）から別の転送端末（６ｂ）
の
方法
　
前記夫々の端末（９，６ａ，６ｂ）は、コンテンツデータ、地域コード及び転送履歴を記憶する記憶部（１３）とコンテンツデータを転送するためのデータ転送インターフェース（１９）と前記コンテンツデータの入手の許可，禁止及びこれら許可，禁止を示す地域コードの照合を行うための制御部（１２）と電子チケットを有する電子財布部（２０）とを有し、
前記記憶部の所定の領域
　前記転送元端末（９）において前記入手希望コンテンツデータの配布・流通を許可又は禁止する地域を示す前記地域コードと前記転送先端末（６ａ）から転送された前記地域コードを照合することにより入手を許可する地域であると前記転送元端末（９）が判断した場合に、
前記転送先端末（６a）に
　前記コンテンツデータを転送する場合に、前記転送先端末（６ａ）に記録されている転送履歴データを前記転送元端末（９）に転送
する
　前記コンテンツデータを転送する場合に、前記転送先端末（６ａ）は
前記電子財布部（２０）で
処理
　さらに、
前記転送先端末（６a）において、
転送端末
転送端末
から当該
当該転送先端末（６ａ）に記録されている
転送端末
を
　有することを特徴とするコンテンツ
配布
のデータ転送方法
　　
　　
（２）補正の適否について
　本件補正のうち、
夫々の端末（９，６ａ，６ｂ）
夫々の端末（６ａ，６ｂ）
夫々の端末（６ａ，６ｂ）
　本件補正は原査定の拒絶の理由として通知された［理由２］の理由（特許請求の範囲の記載が明確ではないことから特許法第３６条第６項第２号に規定する要件を満たしてない旨の拒絶の理由。）に係る拒絶の理由に示す事項についてするものであると認められる。
　したがって本件補正は、平成１８年法律第５５号改正附則第３条第１項によりなお従前の例によるとされる同法による改正前の特許法第１７条の２第４項第４号に掲げられた「明りょうでない記載の釈明」を目的とするものに該当し、適法になされたものであると認められる。
　　
　したがって、審理の対象は上記のとおり当審で認めた本件補正により補正された明細書及び図面である。 
　　
　　
３．本願発明について 
　本願の請求項１に係る発明（以下「本願発明」という。）は、当審で認めた本件補正により補正された明細書の特許請求の範囲の請求項１に記載された事項により特定される次のとおりのものである。 
　 
「　　コンテンツデータを転送元端末（９）からネットワークを介して転送先端末（６ａ）に、又はこの転送先端末（６ａ）から別の転送端末（６ｂ）に転送して配布・流通するためのコンテンツの転送方法において、
　前記夫々の端末（６ａ，６ｂ）は、コンテンツデータ、地域コード及び転送履歴を記憶する記憶部（１３）とコンテンツデータを転送するためのデータ転送インターフェース（１９）と前記コンテンツデータの入手の許可，禁止及びこれら許可，禁止を示す地域コードの照合を行うための制御部（１２）とを有し、
　前記転送元端末（９）において前記コンテンツデータの配布・流通を許可又は禁止する地域を示す地域コードを前記コンテンツデータに対応付けて記録するステップと、
　前記転送先端末（６ａ）の前記記憶部の所定の領域に、前記転送元端末（９）からのコンテンツデータの入手を許可又は禁止する地域を示す地域コードを記録するステップと、　前記転送先端末（６ａ）が前記コンテンツデータの入手前に前記記憶領域（１３）に記録された自己の前記地域コードを前記転送元端末（９）に転送するステップと、
　前記転送元端末（９）において、前記コンテンツデータの配布・流通を許可又は禁止する地域を示す前記地域コードと前記転送先端末（６ａ）から転送された前記地域コードを照合することにより入手を許可する地域であると前記転送元端末（９）が判断した場合に、前記転送先端末（６a）に前記コンテンツデータを前記コンテンツデータの配布・流通を許可又は禁止する地域を示す前記地域コードを記録したヘッダと共に転送し、入手を禁止する地域であると判断した場合にコンテンツ転送を禁止するステップと、
　前記コンテンツデータを転送する場合に、前記転送先端末（６ａ）に記録されている転送履歴データを前記転送元端末（９）に転送するステップと、
　さらに、前記転送先端末（６a）において、それ以前に転送された前記コンテンツデータの転送前に前記別の転送端末（６ｂ）に記録されている自己の地域コードを前記別の転送端末（６ｂ）から当該転送先端末（６ａ）に転送し、当該転送先端末（６ａ）に記録されている前記コンテンツデータの配布・流通を許可又は禁止する地域を示す前記地域コードと前記別の転送端末（６ｂ）から転送された前記地域コードとを照合することにより入手を許可する地域であると判断された場合に、前記別の転送端末（６ｂ）にコンテンツを転送するステップとを、
　有することを特徴とするコンテンツ配布システムのデータ転送方法。　」
　　
　　
４．引用例について 
　　
　原査定の拒絶の理由に引用された国際公開第９９／５１０３８号（以下「引用例」という。）には、図面とともに以下の事項が記載されている。 
　　
（ア）「　　Field of the Invention 
　　　The present invention relates, generally, to a system, process and article of manufacture for limiting the distribution of information on a communications network based on geographic location and, in preferred embodiments, to such a system, process and article for limiting distribution of information on the Internet or World Wide Web, based on the geographic location of the Internet or Web user requesting the information, based on geographic location information generated by a satellite-signal positioning system.
　　
Background of the Invention 
　　　The Internet and World Wide Web (WWW) have opened vast new global marketplaces and opportunities for companies, organizations, institutions and individuals to distribute and obtain information and to interact verbally and visually with others, virtually on a world-wide basis. By employing the Internet and WWW, companies and groups of all sizes and individuals may have, in effect, a world-wide market in which to distribute information, products and services through the Internet or WWW (including, but not limited to, programs, movies, photographs, and other information that can be transmitted over the Internet or WWW). 
　　
　　　However, such a geographically expansive marketplace can be problematic for providers of some products and services. Consider, for example, a company or individual involved in the business of selling a product or service, but which is constrained under statute or contract to a limited geographic sales region. In one representative example, a software company contracts with various software distribution companies to sell its software in specified sales regions, wherein each distributor is provided a sales region and, under the terms of the contract, is not allowed to sell the software outside of the region. A distribution company may desire to employ the Internet or WWW as a distribution channel, but would need to limit sales (and access to the distributed software) to only those Internet users (customers) that are located within the region assigned to that company. 
　　
　　　As another example, consider a company or individual in the business of providing a lottery or other game in which a fee is required to play and the player is provided with a chance to win money or prizes. Under many legal jurisdictions (which can also be defined in terms of geographic areas), such lotteries and games may be illegal or otherwise limited by gambling statutes, rules or regulations. Again, the company or individual may desire to offer the lottery or game service over the Internet or WWW, but also avoid potential legal liability for offering such services to Internet users that are located in a geographic region of an adverse legal jurisdiction. 
　　　As yet another example, consider a company, organization or individual involved in distributing information having a content that is politically or ethically sensitive in certain geographic regions, but not other geographic regions. Again, the company, organization or individual may desire to provide the information over the Internet but, for political, ethical or legal reasons, may also desire to limit the accessibility to the information to certain geographic regions. 
　　
　　　Thus, in a number of contexts, there is a need in the industry for a system by which a provider of a service or product on the Internet may readily limit access to the product or service, based on the geographic region in which the user requesting the product or service is located.　 」 （第１頁第１行−第２頁第２２行）
　　
（　　仮訳：
　産業上の利用分野
  本発明は一般に地理的位置に基づき通信ネットワーク上で情報の分配を限定するシステム、方法、および製造製品、また好ましい実施例において、通信衛星信号ポジショニングシステム、および当該情報を必要とするインターネットやあるいはWWWのウェブユーザーの地理的位置に基づき、そのような情報の分配を限定するシステム、方法、および製造製品に関する。
　　
　本発明の背景
　インターネットおよびWorld Wide Web（WWW）は、企業、組織、公共機関、あるいは個人が情報を配布したり、取得し、また口頭で、かつ視覚的にまさに全世界の人たちとインタラクトできる巨大なグローバルマーケットと機会を開放した。インターネットとWWWを採用することにより、あらゆるサイズの企業およびグループ、そして個人は、実質的に世界市場を持ち（インターネットとWWWにより伝えられるプログラム、映画、写真、およびその他の情報を含む）情報、製品、そしてサービスをインターネットとWWWにより配布している。
　　
　しかし、そのような地理的に広範囲な市場は、製品やサービスを提供するプロバイダにとっては問題となる場合がある。例えば製品やサービスを販売しているが、規則や契約で特定の販売地域に限定されている会社や個人を例に考えてみよう。例として、ソフトウェア会社が様々なソフトウェア配布会社と特定の販売地域でソフトウェアを販売する契約をするとしよう。当該契約のもと各ディストリビュータは、特定の販売地区を割り当てられ、その地区以外で当該ソフトウェアを販売できない。配布会社はインターネットやWWWを販売網として利用したいかもしれないが、販売（および配布するソフトウェアへのアクセス）を、その会社に割り当てられた地域内のインターネットユーザー（顧客）に限定しなければならない。
　　
　また別の例として、宝くじや参加するために利用者は料金を払い賞金や賞品がもらえるゲームを販売している会社や個人を考えてみよう。（地理的に定義することができる）多くの司法管轄地域では、そのような宝くじやゲームは、法律上違反とされていたり、あるいは法令や規則、また規定で制限されている場合がある。この場合も会社や個人は宝くじやゲームをインターネットやWWWで提供して、しかも法的規制がある司法管轄区域に居住するインターネットユーザーに、法律に触れないようにしてそのようなサービスを提供したいと考える場合もある。
　　
　さらにまた、内容が特定の地域では政治上あるいは倫理上微妙であるが、他の地域では問題がない情報を配布している会社や組織、あるいは個人もある。この場合も、会社や組織、あるいは個人は情報をインターネットで提供し、しかも政治、あるいは倫理、または法律を考慮して、その情報へのアクセスを特定の地域に限定することを希望する場合もある。
　　
　このように業界にはいろいろなコンテキストにおいてインターネットでサービスや製品を提供しているプロバイダが、製品やサービスを希望するユーザーが居住する地域に基づいて、製品やサービスへのアクセスを限定するようなシステムへのニーズがある。　　）
　　
（イ）「　　Summary of the Disclosure 
　　　Embodiments of the present invention relate to a system, process and article of manufacture for limiting the distribution of information on a communications network based on geographic location. In preferred embodiments, the invention relates to such a system, process and article for limiting distribution of information on the Internet and World Wide Web (WWW), based on the geographic location of the Internet user requesting the information. 
　　
　　　A system according to a general embodiment of the present invention includes at least one information provider processor which is coupled to a plurality of recipient processors on a communications network. The recipient processors are located at geographically remote locations with respect to each other and connected for intercommunication with the provider processor, over the communications network. In preferred embodiments, the provider and recipient processors comprise respective computers coupled for communication on the Internet. 
　　
　　　The provider processor is capable of providing information from any suitable source, by communicating such information over a communications network. However, access to the information by the recipient processors is controlled, based on the geographic location or region of the recipient processors. 
　　
　　　Each recipient processor operates with an associated a means for providing a position signal. Various embodiments of the invention may employ any suitable means which provides a computer readable signal that corresponds to the position, or geographic location, of the recipient processors, including, but not limited to, devices for generating pre-recorded geographic information and user-operated input devices. However, in preferred embodiments, the geographic location information is generated by a means which calculates the location from information received at the location from satellite signals, such as a global positioning system GPS. 」（第２頁第２４行−第３頁第１７行）
　　
（　　仮訳：
　本発明の実施例は、通信ネットワークにおける情報の配布を地理的位置に基づいて限定するシステム、プロセス、および製造製品に関するものである。好ましい実施例においては、本発明はインターネットとWWWの情報の配布を、当該情報を希望するインターネットユーザーの居住地域に基づいて限定するシステム、プロセス、および製造製品に関するものである。
　　
　本発明の一般実施例によるシステムは、通信ネットワーク上の複数のレシピアントプロセッサに接続されている情報プロバイダプロセッサを少なくとも１台含む。レシピアントプロセッサは互いに地理上遠隔地に存在して、互いの通信のために通信ネットワーク上でプロバイダプロセッサに接続されている。好ましい実施例においては、プロバイダとレシピアントプロセッサは、通信用にインターネットに接続されている各コンピュータで構成される。
　　
　プロバイダプロセッサは、情報ネットワークで交信することにより、適当などのような情報源からでも情報を提供することができる。しかしレシピアントプロセッサによる情報へのアクセスは、レシピアントプロセッサの存在する地理的位置、あるいは地域によって制御される。
　　
　各レシピアントプロセッサは、位置信号を発する関連手段で操作される。本発明の各種実施例では、レシピアントプロセッサの存在する位置、あるいは地理的位置に対応してコンピュータが読み取れる信号を発する適当な手段を用いることができる。あらかじめ記録してある地理情報の生成装置、およびユーザーが操作する入力装置を含む。しかし、好ましい実施例においては、地理的位置に関する情報は、その位置で通信衛星の信号から受信した情報を基に位置を計算するグローバルポジショニングシステムGPSなどの手段で作成される。　　） 
　　
（ウ）「　　Fig. 1 represents a general embodiment and can also represent a specific Internet embodiment of the present invention, as described below. 
With reference to Fig., 1, a system 10 is shown according to a general embodiment of the present invention, wherein an information providing processor (provider processor 12) is coupled for communication to a plurality of recipient processors 14-16 located at mutually different geographic locations with respect to each other, by a communications network 18. The processors may comprise any suitable data processing and communicating device controlled, preferably by a software program, to operate as described below. The communications network may comprise any suitable means which allows the recipient processors and the provider processor to communicate with each other, including, but not limited to, the Internet or WWW, intranet, cable or other hard-wired networks, optical, electromagnetic or other wireless networks, as well as hybrids thereof, or the like. 
　　
　　　The provider processor 12 is capable of providing information from any suitable source (including, but not limited to an on-line source or a computer readable storage medium such as a hard or floppy disk, random access memory RAM, read only memory ROM, compact disk (CD), other optical storage disk, such as a DVD, or the like), by communicating such information over a communications network 18. Such information may include, but is not limited to, data, text or image information, for example, having different market, legal, political, social, ethical or moral implications in different geographic regions. However, access to the information by the recipient processors 14-16 is controlled, based on the geographic location or region of the recipient processors. 
　　
　　　Each recipient processor 14-16 operates with an associated means 20 -22 for providing a position signal. Various embodiments of the invention may employ any suitable means which provides a computer readable signal corresponding to the position, or geographic location or region, of the recipient processors, including, but not limited to, devices for generating pre-recorded geographic information, or user-operated input devices operated by a user to input information corresponding to a geographic location or region (for example, a keyboard, touch-screen, microphone, display icons that are selected by positioning a mouse curser and clicking the mouse, or the like). However, in preferred embodiments, the geographic location information is generated by a means which calculates the location from information received at the location from satellite signals, such as a global positioning system GPS. 
　　
　　　The geographic position information is used to determine whether or not the processor requesting the information is within a restricted (or limited) or non-restricted region. This determination may be made by any suitable procedure, including, but not limited to, comparing the geographic information provided by the recipient processor and positioning system with a list of non- restricted or non-limited (or restricted) geographic locations or regions. Thus, according to some embodiments, information may be provided or not provided (that is, access to the information may be allowed or denied) dependent on the geographic information provided by the recipient processor, such that, if a recipient processor provides geographic information corresponding to a restricted geographic location or region, then the provider processor will be controlled to not provide selective information to the recipient processor. On the other hand, if a recipient processor provides geographic information corresponding to a non-restricted geographic location or region, then the provider processor is controlled to provide the selective information to the recipient computer. 
　　
　　　In further embodiments, a set of rules may be implemented, which depend upon the geographic information (and, thus, the geographic location or region, such that various restrictions or limitations may be implemented for various geographic locations or regions. Thus, if a recipient processor provides geographic information corresponding to a first geographic location or region, then the provider processor may be controlled to not provide selective information to the recipient processor, unless further requirements are met. Other geographic locations or regions may be associated with similar or other requirements, limitations or restrictions to the access of information from the provider processor. 
　　
　　　While embodiments of the invention may be applicable in a variety of network contexts, in which a network of processors in mutually different geographic locations are coupled through a communications network to a provider processor, preferred embodiments relate to Internet or WWW contexts, in which a provider computer and a plurality of user computers are coupled for communication, through the Internet. 
　　
　　　For example, Fig. 1 may be considered a generalized representation of an Internet or WWW embodiment, wherein the provider server 12 comprises an Internet product or service provider computer or server (hereinafter referred to as the provider server) coupled for communication, through the Internet 18, to a plurality of user computers. The plurality of user computers includes a first user computer 14 at a location within a first geographic region X and a second user computer 15 at a location within a second geographic region Y, remote from the first region X. Any suitable number of user computers at mutually different geographic locations and/or regions may be connected through the Internet 18, as represented by the Nth user computer 22. The user computers may be coupled in communication with the provider server 12 simultaneously or during mutually different periods of time. The user computers 14-16 and provider computer (or server) 12 may each comprise any suitable computer device having means for interfacing with and communicating on a communications network and for operating, preferably under the control of software programs, in the manner described below. Such computers and communication interfacing is well known in the art and is not described in further detail herein for purposes of simplifying the present disclosure. 
　　
　　　Each user computer 14-16 is operatively coupled to an associated means 20-22 for providing a position signal to its associated user computer, indicative of the location or region in which the means is located. As discussed above, in some embodiments, such means may include a user input device associated with a given user computer 14-16 (including, but not limited to a keyboard, touch-screen, microphone, display icons that are selected by positioning a mouse cursor and clicking the mouse, or the like) which is operated by the user to input information associated with the user's location or region. For example, such information might include, but is not limited to, the user's zip code, street address, city, state, country, or the like. 
　　
　　　Alternatively, the means for providing position information may comprise a computer-readable storage media (including, but not limited to, a hard disk, floppy disk, optical or magneto-optical disk, or the like) on which position information is pre-stored and selectively retrieved by or provided to its associated user computer. 
In a further alternative embodiment, the means for providing position information comprises a user input device, such as described above, for allowing a user to input a code (such as an alphanumeric string) that includes the user's geographic location in an encrypted (or otherwise hidden) format. 
　　
　　　For example, the provider of a product or service on the network (e. g., Internet) may issue authorized users such a code, based on the geographic location of the user. More preferably, the user will also be issued a user identification number specific to the user (such as, but not limited to, a number associated with the user's network address or the user's computer, such as a computer serial number or other number typically issued to and stored in computers by computer manufacturers), wherein the identification number and the geographic location information of the user may be encrypted together in a user code. The product or service provider may issue and communicate such a code to a user, for example, over the telephone, postal mail, electronic mail (e- mail), or the like, upon the user requesting such a code and further upon the provider verifying the user's geographic location. Verification of geographic location may be accomplished by any suitable process, including, but not limited to looking up the user's mailing address, or requiring the user to submit evidence. 
　　
　　　In such an embodiment, the means for providing position information communicates the code (user location information encrypted code or a combined user id and user location encrypted code) to the provider server. 
The provider server includes further means (for example, a suitable program for controlling the server processor) for decrypting the encrypted code and deriving the user id and/or user location information therefrom. The provider server further includes means (for example, a suitable program for controlling the server processor) for comparing the decrypted information with, for example, entries in a table of authorized users and/or geographic locations therefor, stored in a persistent memory associated (or accessible) by the provider server. If the decrypted information does not match an entry for an authorized user (for example, an authorized user's id code, network address or computer information) and/or does not match the entry in the table for that user's verified geographic location, then the provider server will be controlled (by the software program) to deny access to the product or service. On the other hand, if the decrypted information does match an entry for an authorized user and its associated geographic location, then the user will be allowed access to the product or service. 　　」
（第５頁第９行−第９頁第５行）
　　
（　　仮訳：
　図１は一般実施例であるが、下記に説明するように本発明による特定のインターネット実施例をも示す図である。図１では、本発明の一般実施例によるシステム10が示されており、ここでは互いに異なる地理的位置に配置されている複数のレシピアントプロセッサ14−16に、通信ネットワーク18を使って互いに通信を行う情報提供プロセッサ（プロバイダプロセッサ12）が接続されている。プロセッサは、下記に説明されるように作動するために、適当なデータ処理装置、および可能ならばソフトウェアプログラムで制御される通信装置で構成することができる。通信ネットワークは、インターネット、あるいはWWW、あるいはイントラネット、あるいはケーブル、あるいはその他の回線を配置したネットワーク、あるいは光学ネットワーク、あるいは電磁ネットワーク、あるいはその他の無線ネットワーク、またこれらを組み合わせたネットワークなどを含む、レシピアントプロセッサとプロバイダプロセッサが互いに通信できる適当な手段で構成することができる。
　　
　プロバイダプロセッサ12は、情報を（オンライン情報源、あるいはハードディスクやフロッピーディスク、RAM、ROM、CD、あるいはDVDなどのその他の光学ストレージディスクなどのコンピュータで読み取り可能なストレージ手段を含む）適当な情報源から、通信ネットワーク18を通して提供することができる。そのような情報には、例えば、異なった地理的地域で、市場によって、また法律上、あるいは政治上、あるいは倫理上、あるいは道徳上異なった意味を持つデータやテキスト、イメージ情報などがある。しかし、レシピアントプロセッサ14−16がアクセスできる情報は、レシピアントプロセッサが存在する地理的位置や地域に基づいて制御される。
　　
　各レシピアントプロセッサ14−16は、位置信号を発する関連手段20−22により作動する。本発明の各種実施例は、あらかじめ録音してある地理情報を生成する装置、あるいは地理的位置、あるいは地域に対応する情報を入力するためのユーザーによって操作されるユーザー操作入力装置などの位置、あるいは地理的位置、あるいは地域に対応してコンピュータ読み取り可能信号を提供する適当な手段を採用することができる。（例えばキーボード、タッチスクリーン、マイク、マウスのカーソルを移動してクッリクして選択できるディスプレイアイコンなど）。しかし好ましい実施例においては、地理的位置に関する情報は、その位置で通信衛星の信号から受け取った情報を基に位置を計算するグローバルポジショニングシステムGPSなどの手段で作成される。
　　
　地理的位置に関する情報は、情報を要求しているプロセッサが限定地域（あるいは制限地域）、あるいは非限定地域に存在するかどうかを判断するために使用される。この判断は、レシピアントプロセッサやポジショニングシステムによって提供される地理情報を、非制限あるいは非限定地理的位置(あるいは制限)地域の一覧表と比較するプロシジャなどの適当なプロシジャによって行うことができる。このように、いくつかの実施例によると、レシピアントプロセッサによって提供される地理的情報に基づいて、情報は提供される場合もあればされない場合もある（情報へのアクセスが許可される場合もあれば、拒否される場合もある）ので、もしレシピアントプロセッサが、限定地理的位置、あるいは地域に対応する地理的情報を提供すると、プロバイダプロセッサは選定した情報をレシピアントプロセッサに提供しないように制御される。その一方、レシピアントプロセッサが、非限定地理的位置、あるいは地域に対応する地理的情報を提供すると、プロバイダプロセッサは選定した情報をレシピアントプロセッサに提供するように制御される。
　　
　またさらに別の実施例では、地理情報（従って地理的位置や地域）に基づいて、一連の規則を実行することもできるので、各種の限定や制限を各種の地理的位置や地域にあわせて実行することができる。このように、レシピアントプロセッサが最初の地理的位置や地域に対応する地理情報を提供すると、その他の基準を満たさない限り、選定した情報をレシピアントプロセッサに提供しないようにプロバイダプロセッサを制御することができる。その他の地理的位置や地域を、プロバイダプロセッサからの情報へのアクセスに対する同様の、あるいはその他の限定や制限に関連付けることもできる。
　　
　本発明の実施例は各種のネットワークに適用できるが、そこでは互いに異なる地理的位置に存在するプロセッサのネットワークが通信ネットワークを通じてプロバイダプロセッサに接続されており、好ましい実施例は、インターネットやWWWに関するものであり、そこではプロバイダプロセッサと複数のユーザーコンピュータが、通信用にインターネットを通じて配置される。
　　
　例えば、図１はインターネットやWWWの実施例の代表的な例と考えることができる。ここではプロバイダサーバ12（以下プロバイダサーバ）は、通信用にインターネット18を通じて、複数のユーザーコンピュータに接続しているインターネット製品、あるいはサービスプロバイダコンピュータ、あるいはサーバで構成される。複数のユーザーコンピュータには、第１の地理的地域X内の位置にある第１のユーザーコンピュータ14と第１の地域Xから離れた第２の地理的地域Y内の位置にある第2のユーザーコンピュータ15が含まれる。N番目のユーザーコンピュータ22で示されるように、インターネット18を通じて、互いに異なる地理的位置および／あるいは地域にある多数の適当なユーザーコンピュータを接続することが可能である。ユーザーコンピュータは、通信用にプロバイダサーバ12に、同時、あるいは互いに異なる時間帯に接続することができる。ユーザーコンピュータ14−16とプロバイダコンピュータ（あるいはサーバ）12は、それぞれ通信ネットワーク上でインターフェース手段と通信手段、さらにできればソフトウェアプログラムで制御され、下記に説明する方法で作動する手段を有する適当なコンピュータ装置で構成される。そのようなコンピュータや通信インターフェースはよく知られている技法なので、本書では本公開を簡素化するためにその詳細は省略する。
　　
　各ユーザーコンピュータ14−16は、位置信号をその関連ユーザーコンピュータに提供する関連手段20−22に操作上接続され、その手段が存在する位置や地域が表示される。上述のいくつかの実施例ではこのような手段には、（キーボード、タッチスクリーン、マイク、カーソルを移動してマウスをクリックして選択できるディスプレイアイコンなどの）特定のユーザーコンピュータ14−16に関連しているユーザー入力装置が含まれ、それぞれユーザーの位置や地域に関連する情報をユーザーが入力することによって作動する。例えば、そのような情報には、ユーザーの郵便番号、番地、市、郡などが含まれる。また位置情報を提供する手段は、位置情報があらかじめ保存され、関連ユーザーコンピュータにより取り出したり、また関連ユーザーコンピュータに提供することができるコンピュータ読み取り可能ストレージ媒体（ハードディスク、フロッピーディスク、光学あるいは磁気光学ディスクなど）で構成することもできる。
　　　
　また別の実施例では、位置情報を提供する手段は、ユーザーがユーザーの地理的位置を含む（英数字文字列などの）コードを暗号にして（あるいは隠して）入力する、上述のユーザー入力装置で構成することもできる。例えば（インターネットなどの）ネットワークを使って製品やサービスを提供するプロバイダは、ユーザーの地理的位置に基づいて、認定ユーザーにそのようなコードを発行することができる。またさらに好ましい例としては、ユーザーにそのユーザー専用のユーザー認定番号を発行することもできる。（例えば、ユーザーのネットワークアドレスや、コンピュータのシリアルナンバーや、コンピュータの製造メーカーがコンピュータに与え、そのコンピュータ内に保存されるその他の番号などのユーザーのコンピュータに関連した番号など。）またユーザーのID番号や地理的位置情報は、ユーザーのコードと一緒に暗号化することもできる。製品やサービスを提供するプロバイダは、ユーザーからそのようなコードの依頼があり、プロバイダがユーザーの地理的位置を確認した後、そのようなコードをユーザーに発行して、電話、郵便、電子メールなどで連絡することができる。地理的位置の確認は、ユーザーの住所を調べたり、またユーザーに証拠となるものを提出してもらうなどの適当なプロセスで行うことができる。
　　　
　そのような実施例の場合は、位置情報提供手段は、（暗号化したユーザーの位置情報や、ユーザーのIDと位置を組み合わせて暗号化した）コードをプロバイダサーバに伝える。プロバイダサーバには、暗号化されたコードを解読して、そこからユーザーIDおよび／あるいはユーザーの位置情報を取り出す手段が含まれる。さらにプロバイダサーバには、解読した情報を、例えば、プロバイダサーバと関連する（あるいはプロバイダサーバによってアクセスできる）永続メモリに保存される認定ユーザー、および／あるいはそのユーザーの地理的位置の一覧表の入力と比較する（例えばサーバプロセッサを制御する適当なプログラムなどの）手段を含む。解読された情報が、（例えば認定ユーザーのIDコード、ネットワークアドレス、またはコンピュータに関する情報などの）認定ユーザーに関連するエントリと一致しない、および／あるいはユーザーの確認されている地理的位置の一覧表のエントリと一致しない場合は、プロバイダサーバは、製品やサービスへのアクセスを拒否するように（ソフトウェアプログラムよって）制御される。一方、解読された情報が認定ユーザーに関連するエントリや関連地理位置に一致する場合は、ユーザーは製品やサービスへのアクセスを許可される。　　）
　　
（エ）「　　The flow chart in Fig. 5 represents an example embodiment of a process carried out by the server 12, upon receiving a request for a product or service. In the Fig. 5 embodiment, the server receives a request from a user computer (step 70). The server 12 is then controlled to determine whether or not the requested product or service is one which is limited or restricted geographically (step 72). This may be accomplished, for example, by comparing identification information for the requested product or service with a pre-stored (or on-line) table or list of products or services which have geographic limitations or restrictions (or which are free of such limitations or restrictions). 
　　
　　　If the requested product or service is not limited or restricted by the geographic location of the requester, then from step 72, the process proceeds to prepare for sending the requested product or service (step 74). If, on the other hand, the requested product or service is one which is geographically limited or restricted, then the server 12 is controlled to send one or more queries, requesting location and/or time information. (step 76) and then await receipt of such information (steps 78 and 80). Preferably, if a reply is not received within a predetermined time from the send step 76, a determination is made (in step 80) to terminate the process as a failed attempt. If a reply is received within the allotted time, then, at least in some embodiments, the region in which the user computer resides is determined (step 82) and the thus- determined region is compared with a table or list of non-restricted (or restricted or limited) regions (step 84) to determine whether the requesting computer is within a restricted, limited or non-restricted access region. 
　　
　　　Alternative embodiments may determine this information from the location information, instead of first determining the region to which the location information corresponds. If the location and/or time information was encoded prior to communication from the user computer, then step 82 would also involve a step of decoding the encoded information prior to determining the geographic region associated with the information. 
　　
　　　If the server determines that the requesting computer is within a non- restricted region, then the server prepares to send the requested product or service (step 74). Otherwise, the server sends a deny message to the requesting computer 76 and terminates the process (step 86). 　　」
（第１７頁第２０行−第１８頁第１７行）
　　
（　　仮訳：
　図５のフローチャートは、製品あるいはサービスを求める要求を受信した後、サーバ12で実行される過程の実施例を表すものである。図５の実施例では、サーバはユーザーコンピュータから要求を受け取る（ステップ70）。サーバ12は要求された製品やサービスが、地理的に限定あるいは制限されているかどうかを判断するように制御される（ステップ72）。これは例えば、要求された製品やサービスの識別情報を、あらかじめ保存してある（あるいはオンラインの）、地理的に限定あるいは制限されている（あるいはそのような限定、あるいは制限のない）製品やサービスリストと比較することで行うことができる。
　　
　要求された製品やサービスが、要求者の地理的位置で限定あるいは制限されていない場合は、ステップ72から、要求された製品やサービスを送る準備に進む（ステップ74）。一方、要求された製品やサービスが地理的に限定、あるいは制限されている場合は、サーバ12は位置情報、および／あるいは時間情報を求める1つ以上のクェリを送り（ステップ76）、その情報を受信するまで待つように制御される（ステップ78および80）。返答があらかじめ決められた時間以内に要求ステップ76から受信されない場合は、過程を（ステップ80で）エラーとして終了するのが望ましい。返答が割り当てられた時間内に受け取られた場合は、少なくともいくつかの実施例では、ユーザーコンピュータが存在する地域が判断され（ステップ82）、要求コンピュータが限定、制限、あるいは非限定アクセス地域にあるかどうかを判断し、判断された地域は非限定（あるいは限定あるいは制限）地域の表や一覧表と比較される（ステップ84）。別の実施例では、最初に位置情報が対応する地域を判断する代わりに、この情報を位置情報から判断することもできる。ユーザーコンピュータからの通信がある前に位置情報、および／あるいは時間情報が暗号化されている場合は、情報に関連する地理的地域を判断する前に、暗号化された情報を解読するステップもステップ82で行われる。
　　
　サーバが要求コンピュータは非限定地域にあると判断した場合は、サーバは要求された製品やサービスを送る準備をする（ステップ74）。それ以外の場合、サーバは、要求コンピュータ76に拒否メッセージを送り、この過程を終了する（ステップ86）。　　）
　　
　引用例の上記各摘記事項によれば、引用例には、
　　
「　　オンライン情報源等からの映画、写真等の情報を、サーバからネットワークを介してユーザコンピュータに提供して配布・流通するための映画、写真等の情報を転送する方法において、
　前記ユーザコンピュータは、映画、写真等の情報と、地域情報のコードとを記憶する部分を有し、
　前記サーバにおいて前記映画、写真等の情報の配布・流通を地理的に限定しあるいは非限定する情報と、要求された映画、写真等の情報の識別情報とを、リストとしてあらかじめ保存するステップと、
　前記ユーザコンピュータに前記サーバからの映画、写真等の情報の入手を許可又は禁止する地域に関する情報を入力するステップと、
　前記ユーザコンピュータが前記映画、写真等の情報を入手する前に、入力された自己の地域に関する情報を前記サーバに転送するステップと、
　前記サーバにおいて、前記映画、写真等の情報の配布・流通を地理的に限定しあるいは非限定する情報と、前記ユーザコンピュータから転送された自己の地域に関する情報と比較し、サーバがユーザコンピュータ（要求コンピュータ）が非限定の地域にあると判断した場合には、前記ユーザコンピュータに、前記映画、写真等の情報を転送し、それ以外の場合にはサーバはユーザコンピュータ（要求コンピュータ）に拒否メッセージを送るステップと、
　を有することを特徴とする映画、写真等の情報を提供する方法。　　」
　　
との発明（以下「引用例発明」という。）が開示されている。 
　　
　　
５．対比 
　本願発明と引用例発明とを比較する。 
　 
（ａ）引用例発明の「オンライン情報源等からの映画、写真等の情報」の「提供」、「サーバ」、「ユーザコンピュータ」、「地域情報のコード」、「記憶する部分」、は、本願発明の「コンテンツデータ」の「転送」、「転送元端末」、「転送先端末」、「地域コード」、「記憶部」にそれぞれ相当する。
　　
（ｂ）引用例発明の「サーバにおいて映画、写真等の情報の配布・流通を地理的に限定しあるいは非限定する情報と、要求された映画、写真等の情報の識別情報とを、リストとしてあらかじめ保存するステップ」は、上記摘記事項（ウ）の最終段落の記載を参照すれば、本願発明の「転送元端末においてコンテンツデータの配布・流通を許可又は禁止する地域を示す地域コードをコンテンツデータに対応付けて記録するステップ」に相当する。
　　
（ｃ）引用例発明の「ユーザコンピュータにサーバからの映画、写真等の情報の入手を許可又は禁止する地域に関する情報を入力するステップ」は、本願発明の「転送先端末の記憶部の所定の領域に、転送元端末からのコンテンツデータの入手を許可又は禁止する地域を示す地域コードを記録するステップ」に相当する。
　　
（ｄ）引用例発明の「ユーザコンピュータが映画、写真等の情報を入手する前に、入力された自己の地域に関する情報をサーバに転送するステップ」は、本願発明の「転送先端末がコンテンツデータの入手前に記憶領域に記録された自己の地域コードを転送元端末に転送するステップ」に相当する。
　　
（ｅ）引用例発明の「サーバにおいて、映画、写真等の情報の配布・流通を地理的に限定しあるいは非限定する情報と、ユーザコンピュータから転送された自己の地域に関する情報と比較し、サーバがユーザコンピュータが非限定の地域にあると判断した場合には、ユーザコンピュータに、映画、写真等の情報を転送し、それ以外の場合にはサーバはユーザコンピュータに拒否メッセージを送るステップ」は、本願発明の「転送元端末において、コンテンツデータの配布・流通を許可又は禁止する地域を示す地域コードと転送先端末から転送された地域コードを照合することにより入手を許可する地域であると転送元端末が判断した場合に、転送先端末にコンテンツデータを転送し、入手を禁止する地域であると判断した場合にコンテンツ転送を禁止するステップ」に相当する。
　　
　　
　そうすると、本願発明と引用例発明とは、 
　 
「　　コンテンツデータを転送元端末からネットワークを介して転送先端末に転送して配布・流通するためのコンテンツの転送方法において、
　前記転送先端末は、コンテンツデータ、地域コードを記憶する記憶部を有し、
　前記転送元端末において前記コンテンツデータの配布・流通を許可又は禁止する地域を示す地域コードを前記コンテンツデータに対応付けて記録するステップと、
　前記転送先端末の前記記憶部の所定の領域に、前記転送元端末からのコンテンツデータの入手を許可又は禁止する地域を示す地域コードを記録するステップと、
　前記転送先端末が前記コンテンツデータの入手前に前記記憶領域に記録された自己の前記地域コードを前記転送元端末に転送するステップと、
　前記転送元端末において、前記コンテンツデータの配布・流通を許可又は禁止する地域を示す前記地域コードと前記転送先端末から転送された前記地域コードを照合することにより入手を許可する地域であると前記転送元端末が判断した場合に、前記転送先端末に前記コンテンツデータを転送し、入手を禁止する地域であると判断した場合にコンテンツ転送を禁止するステップと、
　を有することを特徴とするコンテンツ配布システムのデータ転送方法。」
　 
である点で一致し、以下の点で相違する。 
　 
［相違点１］ 
　本願発明では、「転送先端末」の「記憶部」に「転送履歴」を記憶し、「コンテンツデータを転送する場合に、「転送先端末に記録されている転送履歴データを転送元端末に転送するステップ」を有するのに対し、引用例発明ではそのようになっていない点。
　　
［相違点２］ 
　本願発明では、「転送先端末にコンテンツデータを転送」する際、「コンテンツデータの配布・流通を許可又は禁止する地域を示す地域コードを記録したヘッダと共に転送」するのに対し、引用例発明ではそのようになっていない点。
　 
［相違点３］ 
　本願発明では、「コンテンツデータを転送して配布・流通する」ものであって、さらに「転送先端末から別の転送端末に転送して配布・流通する」こと、
そのために、「転送先端末において、それ以前に転送されたコンテンツデータの転送前に別の転送端末に記録されている自己の地域コードを別の転送端末から当該転送先端末に転送し、当該転送先端末に記録されているコンテンツデータの配布・流通を許可又は禁止する地域を示す地域コードと別の転送端末から転送された地域コードとを照合することにより入手を許可する地域であると判断された場合に、別の転送端末にコンテンツを転送するステップ」を有すること、
そのために、夫々の端末には、「記憶部」に加えて「コンテンツデータを転送するためのデータ転送インターフェース」と、「コンテンツデータの入手の許可，禁止及びこれら許可，禁止を示す地域コードの照合を行うための制御部とを有する」ように構成すること、
としているのに対し、引用例発明ではそのようになっていない点。
　　
　　
６．当審の判断 
　上記各相違点について検討する。 
　 
［相違点１］について 
　　
　コンテンツを転送する際、転送履歴をコンテンツサーバで管理することは周知の事項（以下「周知事項１」という。）である。
（例えば、梅本佳宏他，流通管理機構を持つ複合コンテンツの管理方式，電子情報通信学会技術研究報告，Ｖｏｌ．９９，Ｎｏ．２０２，１９９９．０７．２２，Ｐ．６９−７４（以下「周知例１」という。）　には、『３．１　コンテンツサーバの要件　コンテンツ提供者が利用者から直接コンテンツ取得の要望を受け入れるのは負荷が高く、また利用者も自分の欲しいコンテンツの所在がわかりにくいという問題がある。そこで、コンテンツ流通の仲介を行うコンテンツサーバの実現が求められる。コンテンツは分散化されたコンテンツサーバで管理されており、コンテンツ提供者は、あるコンテンツサーバに自分のコンテンツと利用制約を登録する。また、利用者はコンテンツサーバに対して、自分の求めるコンテンツの検索を行う。利用者がコンテンツの再配布を行う場合も、コンテンツに新たなコンテンツポリシーを追加して、コンテンツサーバに登録する。』、『３．３（途中略）　配布されたコンテンツの同期制御　原本のコンテンツ提供者は、誰にどのような用途でコンテンツが流通しているか、知りたい場合がある。そこで各コンテンツに対して、譲渡履歴リストを作成する。（途中略）この譲渡履歴リストを配布されたコンテンツ毎に参照することにより、コンテンツの配布先をすべてたどることができる。（図５）』と記載されている。）
　とすると、引用例発明においても、同様に譲渡履歴である転送履歴をコンテンツサーバである転送元端末で管理すること、このために転送先端末から転送元端末に転送履歴を送信すること、さらにこれに伴い必要となる転送履歴を転送先端末と転送元端末とに記憶するよう構成することには、何ら困難性がない。
　してみると、引用例発明において、「転送先端末」の「記憶部」に「転送履歴」を記憶し、「コンテンツデータを転送する場合に、転送先端末に記録されている転送履歴データを転送元端末に転送するステップ」を有するよう構成することは、当業者が容易に想到することができたものである。
　　
［相違点２］について 
　　
　ネットワーク上で流通するコンテンツのヘッダ部に、コンテンツの流通を許可する地域情報を埋め込むことは周知の事項（以下「周知事項２」という。）である。
（例えば、特開平１１−３０６０９２号公報（以下「周知例２」という。）の【００８８】、【００９１】、【００９３】の各段落の記載、特開平１１−３０６６７３号公報（以下「周知例３」という。）の【００８４】、【００８８】、【００９０】の各段落の記載等を参照されたい。）
　してみると、引用例発明においても「転送先端末にコンテンツデータを転送」する際、「コンテンツデータの配布・流通を許可又は禁止する地域を示す地域コードを記録したヘッダと共に転送」するよう構成することは、当業者が容易に想到することができたものである。
　　
［相違点３］について 
　　
　転送先端末から、さらに別の転送端末に転送して配布・流通することは周知の事項（以下「周知事項３」という。）である。
（例えば、細見格他，デジタル情報流通アーキテクチャMediaShellとその利用・課金制御，情報処理学会研究報告，Ｖｏｌ．９８，Ｎｏ．８５，１９９８．０９．１９，Ｐ．４９−５６（以下「周知例４」という。）には、図１の一次消費者から二次消費者へコンテンツを再配布する図面とともに、『３　デジタル情報流通アーキテクチャ　（途中略）コンテンツの入手はそのメーカーや販売代理店の他、先にコンテンツを入手した一般利用者から複製物を貰ってもよい。』と記載されている。）
　　
　さらに、再生装置（本願発明の「転送先端末」に相当する。）と記録装置（本願発明の「別の転送端末」に相当する。）とが、使用される地域毎に制限されるように構成することも周知の事項（以下「周知事項４」という。）である。
（例えば、特開平１０−００３７４５号公報（以下「周知例５」という。）には、
「　　【０００１】
【発明の属する技術分野】本発明は、デジタルデータの記録媒体間でのデータのデジタルコピー動作もしくはデジタルコピーされたデータの管理のための方法、装置及び記録媒体に関するものである。
【００５９】３．コピーマネジメントデータの記録態様例
上述のようにデジタルコピーの際に再生装置１０は主データとともにディスク１から読み出したコピーマネジメントデータＣＭＤも送信出力し、また記録装置２０は主データとコピーマネジメントデータＣＭＤを受け取ると、主データだけでなく、コピーマネジメントデータＣＭＤもディスク２に記録するようにしている。このような記録態様について図４で例をあげて説明する。
【００６７】図５に示すように、コピーマネジメントデータＣＭＤとしては大きく分けて、記録条件や再生条件に関するデータと、コピー経歴に関するデータが考えられる。記録条件や再生条件に関するデータとしては、例示するように日時条件データ、地域条件データ、回数条件データ、世代条件データ、接続条件データが考えられる。
【００７１】地域条件データとは、再生装置、記録装置が使用される地域毎に制限を与えるものであり、例えば特定地域としてアメリカ，カナダを設定しておき、コピー元ディスク１となる再生専用ディスク１Ｐや、コピー先ディスク２についてこの特定地域のみ再生可能としたり、もしくは特定地域のみ再生不可とする再生制限条件を設定できる。例えば、デジタルコピーにより作成された或るディスク２については、アメリカでは再生できるが、日本では再生できないといったような制限を規定するデータとなる。　　」
と記載されている。）
　　
　してみると、引用例発明において、さらに「転送先端末」から「別の転送端末」に「転送して配布・流通する」こと、その際「配布・流通する地域に制限を設ける」ことには、何ら困難性がない。
　　
　そして、「転送先端末」と「別の転送端末」との間に、「配布・流通する地域に制限を設ける」際に、「転送先端末」と「別の転送端末」との間の配布・流通地域の制限の構成に、引用例発明の「転送元端末」と「転送先端末」との間の「データ転送方法」と同様の配布・流通地域の制限の構成を採用すること（即ち、引用例発明の「転送元端末」を「転送先端末」と、「転送先端末」を「別の転送端末」と、それぞれ読み替えて、引用例発明と同様の「ステップ」を備えるように構成させること。）にも何ら困難性がない。
　　
　その際、引用例発明の「転送元端末」であるサーバは、オンライン情報源等からの映画、写真等の情報を「転送先端末」であるユーザコンピュータに「転送」するものであり、「転送元端末」であるサーバは「映画、写真等の情報の配布・流通を地理的に限定しあるいは非限定する情報と、要求された映画、写真等の情報の識別情報とを、リストとしてあらかじめ保存」し、「映画、写真等の情報の配布・流通を地理的に限定しあるいは非限定する情報と、ユーザコンピュータから転送された自己の地域に関する情報と比較」するものであることから、同様の構成を（「転送元端末」を読み替えるところの）「転送先端末」に備えること、即ち、「転送先端末」に「コンテンツデータを転送するためのデータ転送インターフェース」と、「コンテンツデータの入手の許可，禁止及びこれら許可，禁止を示す地域コードの照合を行うための制御部」とを有するように構成すること、さらに同様に「転送先端末」となりうる「別の転送端末」にも同様の構成を採用することに、何ら困難性がない。
　　
　以上のとおりであることから、引用例発明において、さらに「転送先端末から別の転送端末に転送して配布・流通する」こと、そのために、「転送先端末において、それ以前に転送されたコンテンツデータの転送前に別の転送端末に記録されている自己の地域コードを別の転送端末から当該転送先端末に転送し、当該転送先端末に記録されているコンテンツデータの配布・流通を許可又は禁止する地域を示す地域コードと別の転送端末から転送された地域コードとを照合することにより入手を許可する地域であると判断された場合に、別の転送端末にコンテンツを転送するステップ」を有すること、
そのために、夫々の端末に、「記憶部」に加えて「コンテンツデータを転送するためのデータ転送インターフェース」と、「コンテンツデータの入手の許可，禁止及びこれら許可，禁止を示す地域コードの照合を行うための制御部とを有する」ように構成することは、当業者が容易に想到することができたものである。
　　
　　
　以上のとおり、本願発明における上記相違点１乃至相違点３に係る発明特定事項は、いずれも当業者が容易に想到することができたものであり、上記各相違点を総合しても、想到することが困難な格別の事項は見いだせない。 　
　そして、本願発明の作用効果も、引用例発明、周知例１乃至周知例５に例示される周知事項１乃至周知事項４から当業者が予測できる範囲のものである。 
　 
　 
７．むすび 
　したがって、本願発明は、引用例発明、及び周知事項に基づいて、当業者が容易に発明をすることができたものであるから、特許法第２９条第２項の規定により特許を受けることができない。 
　 
　よって、結論のとおり審決する。